(57)【要約】本発明は、スケジューリング情報伝送方法と装置を提供する。当該方法は、MBMSの制御シグナルのスケジューリング情報を指定されたシステム情報ブロックにキャリーして伝送する。その中、指定されたシステム情報ブロックは、システム情報ブロック2またはシステム情報ブロック3または新増のシステム情報ブロックである。
2012507179.tif 000002
【特許請求の範囲】
【請求項１】
MBMSの制御シグナルのスケジューリング情報を指定された、システム情報ブロック2またはシステム情報ブロック3または新規のシステム情報ブロックであるシステム情報ブロックにキャリーして伝送する、
ことを含むことを特徴とするマルチメディアブロードキャスト・マルチキャストサービス即ちMBMSの制御シグナルのスケジューリング情報を伝送するスケジューリング情報伝送方法。
【請求項２】
前記指定されたシステム情報ブロックに前記スケジューリング情報をキャリーする処理は、具体的には、
前記スケジューリング情報を独立の情報ユニット項として前記指定されたシステム情報ブロックにキャリーし、または、
前記スケジューリング情報とMBMSの資源配置情報を1つの情報ユニット項として前記指定されたシステム情報ブロックにキャリーする
ことを特徴とする請求項１に記載の方法。
【請求項３】
前記スケジューリング情報を前記システム情報ブロック2にマッピングした後、伝送する前に、さらに前記システム情報ブロック2をシステム情報2にマッピングする
ことを特徴とする請求項１に記載の方法。
【請求項４】
前記新規のシステム情報ブロックは、少なくともMBMSの制御情報指示情報の配置情報、MCCHの繰り返し周期情報、MCCHの変更周期情報、MCCHに用いられる変調方式とエンコードレート情報のうちの1つを含むMBMSの関連情報をさらにキャリーする
ことを特徴とする請求項１に記載の方法。
【請求項５】
前記指定されたシステム情報ブロックが新増のシステム情報ブロックであると、セル内にMBMSサービスがない場合、当該セル内に新増のシステム情報ブロックを再び送信しない
ことを特徴とする請求項１または４に記載の方法。
【請求項６】
前記指定されたシステム情報ブロックが新増のシステム情報ブロックであると、前記新増のシステム情報ブロックとSIB2を異なるまたは同じSI送信時間ウィンドウ内にスケジュールして送信する
ことを特徴とする請求項１，４または５に記載の方法。
【請求項７】
MBMSサービスを受信する能力がない受信側またはMBMSサービスを受信する能力があるがMBMSサービスに興味を持たない受信側は、SIB2を受信するが、前記新増のシステム情報ブロックを受信しないことを許容する
ことを特徴とする請求項１，４，５または６に記載の方法。
【請求項８】
MBMSサービスを受信する能力があり、MBMSサービスに興味を持つ受信側は、SIB2を受信し、新増のシステム情報ブロックを受信する
ことを特徴とする請求項１，４，５，６または７に記載の方法。
【請求項９】
前記制御シグナルのスケジューリング情報は、前記MBMSの主制御シグナルのスケジューリング情報及び/または前記MBMSの次制御シグナルまたはMCCHのスケジューリング情報であり、前記スケジューリング情報は、制御シグナルをキャリーすることを指示する資源位置の情報を含み、資源位置の情報は、前記MBMSの主制御シグナル及び/または前記MBMSの次制御シグナルまたはMCCHサブフレーム位置をキャリーすることを指示する情報である
ことを特徴とする請求項１〜４のいずれかの１つに記載の方法。
【請求項１０】
前記指定されたシステム情報ブロックが新増のシステム情報ブロックであると、前記新増のシステム情報ブロックのスケジューリング情報は、システム情報ブロック1に含まれ、システム情報ブロック1よりスケジュールされる
ことを特徴とする請求項１に記載の方法。
【請求項１１】
前記指定されたシステム情報ブロックが新増のシステム情報ブロックであると、前記新増のシステム情報ブロックは、MBSFN-Subframe Configuration情報リスト以外のMBMSの情報をキャリーする
ことを特徴とする請求項１に記載の方法。
【請求項１２】
前記指定されたシステム情報ブロックが新増のシステム情報ブロックであると、MBMSサービスを受信する受信側は、MBMSに基づく前記新増のシステム情報ブロックを受信する
ことを特徴とする請求項１に記載の方法。
【請求項１３】
MBMSの制御シグナルのスケジューリング情報を、システム情報ブロック2またはシステム情報ブロック3または新増のシステム情報ブロックである指定されたシステム情報ブロックにキャリーして伝送するキャリーモジュールと、
前記スケジューリング情報をキャリーした前記システム情報ブロック2を伝送する伝送モジュールと、を備え、
MBMSの制御シグナルのスケジューリング情報を伝送するスケジューリング情報伝送装置。
【請求項１４】
前記キャリーモジュールは、
前記スケジューリング情報を独立の情報ユニット項として前記指定されたシステム情報ブロックにキャリーする第1キャリーサブモジュールと、
前記スケジューリング情報とMBMSの資源配置情報を1つの情報ユニット項として前記指定されたシステム情報ブロックにキャリーする第2キャリーサブモジュールとを、さらに含む
ことを特徴とする請求項１３に記載の装置。
【請求項１５】
前記スケジューリング情報をキャリーした前記システム情報ブロック2をシステム情報2にマッピングするマッピングモジュールを、さらに備える
請求項１３に記載の装置。
【請求項１６】
前記新増のシステム情報ブロックは、MBMSの制御情報指示情報の配置情報、MCCHの繰り返し周期情報、MCCHの変更周期情報、MCCHに用いられる変調方式とエンコードレート情報のうちの1つを含むさらにMBMSの関連情報をキャリーすることを特徴とする請求項１３に記載の装置。
【請求項１７】
前記指定されたシステム情報ブロックが新増のシステム情報ブロックであると、セル内にMBMSサービスがない場合、当該セル内に前記新増のシステム情報ブロックを再び送信しない
ことを特徴とする請求項１３または１６に記載の装置。
【請求項１８】
前記指定されたシステム情報ブロックが新増のシステム情報ブロックであると、新増のシステム情報ブラックとSIB2を異なるまたは同じSI送信時間ウィンドウ内にスケジュールして送信する
ことを特徴とする請求項１３，１６または１７に記載の装置。
【請求項１９】
MBMSサービスを受信する能力がない受信側またはMBMSサービスを受信する能力があるがMBMSサービスに興味を持たない受信側は、SIB2を受信するが、新増のシステム情報ブロックを受信しないことを許容する
ことを特徴とする１３，１６，１７または１８に記載の装置。
【請求項２０】
MBMSサービスを受信する能力があるMBMSサービスに興味を持つ受信側は、SIB2を受信し、新増のシステム情報ブロックを受信する
ことを特徴とする請求項１３，１６，１７，１８または１９に記載の装置。
【請求項２１】
前記制御シグナルのスケジューリング情報は、前記MBMSの主制御シグナルのスケジューリング情報及び/または前記MBMSの次制御シグナルまたはMCCHのスケジューリング情報であり、且つ前記スケジューリング情報は、制御シグナルをキャリーすることを指示する資源位置の情報を含み、資源位置の情報は、前記MBMSの主制御シグナル及び/または前記MBMSの次制御シグナルまたはMCCHをキャリーすることを指示するサブフレーム位置の情報である
ことを特徴とする請求項１３〜１６のいずれかの１つに記載の装置。
【請求項２２】
前記指定されたシステム情報ブロックが新増のシステム情報ブロックであると、前記新増のシステム情報ブロックのスケジューリング情報は、システム情報ブロック1に含まれ、システム情報ブロック1よるスケジュールされる
ことを特徴とする請求項１３に記載の装置。
【請求項２３】
前記指定されたシステム情報ブロックが新増のシステム情報ブロックであると、前記新増のシステム情報ブロックは、MBSFN-Subframe Configuration情報リスト以外のMBMSの情報をキャリーする
ことを特徴とする請求項１３に記載の装置。
【請求項２４】
前記指定されたシステム情報ブロックが新増のシステム情報ブロックであると、MBMSサービスを受信する受信側は、MBMSの前記新増のシステム情報ブロックを受信する
ことを特徴とする請求項１３に記載の装置。
【発明の詳細な説明】
【技術分野】
【０００１】
本発明は、通信分野に関し、具体的には、スケジューリング情報の伝送方法及び装置に関する。
【背景技術】
【０００２】
インターネットの急速な発展と大画面多機能携帯電話の普及に伴って、移動データマルチメディアサービスと各種の高帯域マルチメディアサービス、例えば、テレビ会議、テレビ放送、ビデオ・オン・デマンド、広告、オンライン教育、インタラクティブゲームなどは、大量に現れる。これらのサービスの出現は、移動ユーザのますます高まるサービス需要を満足するだけではなく、同時に移動体通信事業者に新しいサービス成長点を持って来る。これらの移動データマルチメディアサービスは、複数のユーザが同時に同じデータを受信できることを要求して、普通なデータサービスと比べて、データ量が大きく、持続時間が長く、遅延敏感などの特徴を持つ。
【０００３】
移動ネットワーク資源を効果的に利用するために、第3世代(3G)移動体通信システムパートナーシップ・プロジェクト（3rd Generation Partnership Project、3GPPと略称）にマルチメディア放送とマルチキャストサービス（Multimedia Broadcast Multicast Service：MBMSと略称）が提案された。当該サービスは、1つのデータソースから複数の目標へデータを伝送する技術であり、ネットワーク（コアネットワークとアクセスネットワークを含む）資源の共有を効果的に実現して、ネットワーク資源（特にエアインターフェース資源）の利用率を向上することができる。3GPPで定義されたMBMSは、テキスト形式で低いレートのメッセージ種類のマルチキャストと放送を実現するだけではなく、高速マルチメティアサービスの放送とマルチキャストを実現して、様々な豊富なビデオ、オーディオとマルチメディアサービスを提供することができる。これは、疑いなく未来の移動データの発展動向に順応して、3Gの発展に対して良いサービスの将来性を提供する。
【０００４】
MBMSサービスは、エアインターフェースでの伝送は専用キャリアと共有キャリアの2つのモードに分けられる。2つの伝送モードの主な区別は、専用キャリヤーモードで、キャリアがMBMSサービスのみをキャリーするが、混合キャリヤーモードで、キャリアがMBMSサービスをキャリーするだけではなく、同時にnon-MBMSサービス（非MBMSサービス、例えばユニキャスト（unicast）サービス）をキャリーすることにある。その中、混合キャリヤーモードでMBMSサービスをキャリーする過程に、2つのタイプのサービスが同一のキャリアを多重化させることがある。どのように2つのタイプのサービス間の相互干渉を減らし、且つ伝送サービス過程で最大の効能を発揮することは、ずっと業界の討論の重点な課題である。
【０００５】
混合キャリアを使用してMBMSサービスとnon-MBMSサービスをキャリーする過程で、2つのタイプのサービスの多重は、周波数分割多重（Frequency Division Multiplexing、FDMと略称）、時分割多重（Time Division Multiplexing、TDMと略称）とFDM/TDM混合多重モードを主とする。現在、業界は、TDMを主な多重モードとして研究するので、以下にもTDMを混合キャリアMBMSサービスとnon-MBMSサービスの多重モードとする。
【０００６】
現在、長期進化版（Long Term Evolution、LTEと略称）システムにおいてサブフレームは、MBMSサービスをキャリーするサブフレームと非MBMSサービスをキャリーするサブフレームに分けられる。これらのMBMSサービスをキャリーするサブフレームは、周期的に配置される。即ち、1つの配置周期内での全てのサブフレームはMBMSサービスをキャリーするフレームと非MBMSをキャリーするサブフレームに分けられる。これらのMBMSサービスに割り当てられたサブフレームソース資源において、受信端末は、どのようにあれらのサービスをキャリーすること及び各サービスの開始時間などの情報を知るか、それでは、どのようにあれらのMBMSサービスを具体的にどれらの資源にキャリーするかは、MBMSの制御シグナル（マルチキャストコントロールチャンネル：Multicast Control Channel、MCCHと略称、ここでのMBMSサービスの制御シグナルがマルチキャストコントロールチャンネルMCCHにキャリーされるものであるので、制御シグナルのスケジューリング情報は即ちマルチキャストコントロールチャンネルMCCHのスケジューリング情報である）が説明する内容の一つである。現在、LTEにおいて初期にMBMSサービスの制御シグナルは主マルチキャスト制御シグナル（Primary Multicast Control Channel、Primary MCCHと略称）と次マルチキャスト制御シグナル（Secondary Multicast Control Channel、Secondary MCCHと略称）に分けられ、しかもMCCHにキャリーされるMBMS制御シグナルが相応のスケジューリング情報を必要して、MCCHの資源位置を明示して、受信側が当該位置にMCCHにキャリーされたMBMS制御シグナルを発見されると規定されている。主制御シグナルは、主にセルの特有のMBMSサービスをキャリーするが、次制御シグナルは、非セルの特有のMBMSサービスをキャリーする。
【０００７】
スケジューリング情報をどこにキャリーして受信側に送信するべきかについては、従来の技術に、実現案が提供されていない。ブロードキャストコントロールチャンネル（Broadcast Control Channel、BCCHと略称）を優先に選択する。現在、3GPPプロトコルにおけるBCCHのキャリアは、マスタ情報ブロック(Master Information Block、MIBと略称)とシステム情報ブロックSIB1〜SIB11（System Information Block 、SIBと略称）を含む。具体的にどのキャリアを選択してキャリーするべきか、ここで全てのキャリアが、それぞれの異なる特性を持ち、例えば、大部分のSIBの周期が異なり、各SIB内のキャリーされる内容のタイプが異なるなど。MBMSの主制御シグナル及び/または次制御シグナルまたはMCCHのスケジューリング情報をキャリーするキャリアに対する選択は明確な方案がない問題については、現在、まだ有効的な解決案が提案されていない。
【発明の概要】
【発明が解決しようとする課題】
【０００８】
本発明は、MBMSの主制御シグナル及び/または次制御シグナルまたはMCHHのスケジューリング情報をキャリーするキャリアを選択するための明確な方案がない問題についてなされたものであり、そのため、上記の問題を解決するために、スケジューリング情報伝送方法と装置を提供することを主な目的とする。
【課題を解決するための手段】
【０００９】
上記の目的を実現するために、本発明の一態様に係るスケジューリング情報伝送方法を提供する。
【００１０】
本発明に係るスケジューリング情報伝送方法においては、MBMSの制御シグナルのスケジューリング情報をシステム情報ブロック2またはシステム情報ブロック3または新増のシステム情報ブロックである指定されたシステム情報ブロックにキャリーして伝送する。
【００１１】
その中、指定されたシステム情報ブロックにスケジューリング情報をキャリーする処理は、具体的には、スケジューリング情報を独立の情報ユニット項として指定されたシステム情報ブロックにキャリーし、或いは、スケジューリング情報とMBMSの資源配置情報を1つの情報ユニット項として指定されたシステム情報ブロックにキャリーする。
具体的に、スケジューリング情報をシステム情報ブロック2にマッピングした後、伝送する前に、さらにシステム情報ブロック2をシステム情報2にマッピングする。
【００１２】
また、前記新増のシステム情報ブロックは、少なくともMBMSの制御情報指示情報の配置情報、MCCHの繰り返し周期情報、MCCHの変更周期情報、MCCHに用いられる変調方式とエンコードレート情報のうちの1つを含むMBMSの関連情報をさらにキャリーすることに用いられる。
【００１３】
その中、指定されたシステム情報ブロックが新増のシステム情報ブロックであると、セル内にMBMSサービスがない場合、当該セル内に新増のシステム情報ブロックを再び送信しない。
【００１４】
その中、指定されたシステム情報ブロックが新増のシステム情報ブロックであると、新増のシステム情報ブロックとSIB2を異なるまたは同じSI送信時間ウィンドウ内にスケジュールして送信する。
【００１５】
その中、MBMSサービスを受信する能力がない受信側又はMBMSサービスを受信する能力があるがMBMSサービスに興味を持たない受信側は、SIB2を受信するが、新増のシステム情報ブロックを受信しないことを許容する。
【００１６】
その中、MBMSサービスを受信する能力がありMBMSサービスに興味を持つ受信側は、SIB2を受信し、新増のシステム情報ブロックを受信する。
【００１７】
前記制御シグナルのスケジューリング情報は、MBMSの主制御シグナルのスケジューリング情報及び/またはMBMSの次制御シグナルまたはMCCHのスケジューリング情報であり、且つスケジューリング情報は、制御シグナルをキャリーすることを指示する資源位置の情報を含む。資源位置の情報は、MBMSの主制御シグナル及び/またはMBMSの次制御シグナルまたはMCCHをキャリーすることを指示するサブフレーム位置の情報である。
【００１８】
その中、指定されたシステム情報ブロックが新増のシステム情報ブロックであると、新増のシステム情報ブロックのスケジューリング情報は、システム情報ブロック1に含まれ、システム情報ブロック1よるスケジュールされる。
【００１９】
その中、指定されたシステム情報ブロックが新増のシステム情報ブロックであると、新増のシステム情報ブロックは、マルチキャスト・ブロードキャスト単一周波数ネットワーク-サブフレーム構造（MBSFN-Subframe Configuration）情報リスト以外のMBMSの情報をキャリーする。
【００２０】
その中、指定されたシステム情報ブロックが新増のシステム情報ブロックであると、MBMSサービスを受信する受信側は、MBMSに基づく新増のシステム情報ブロックを受信する。
【００２１】
上記の目的を実現するために、本発明の他の態様に係るスケジューリング情報伝送装置を提供する。
【００２２】
本発明に係るスケジューリング情報伝送装置においては、MBMSの制御シグナルのスケジューリング情報を、システム情報ブロック2またはシステム情報ブロック3または新増のシステム情報ブロックである指定されたシステム情報ブロックにキャリーして伝送するキャリーモジュールと、スケジューリング情報をキャリーしたシステム情報ブロック2を伝送する伝送モジュールと、を備える。
【００２３】
その中、キャリーモジュールは、スケジューリング情報を独立の情報ユニット項として指定されたシステム情報ブロックにキャリーする第1キャリーサブモジュールと、スケジューリング情報とMBMSの資源情報を1つの情報ユニット項として指定されたシステム情報ブロックにキャリーする第2キャリーサブモジュールとをさらに含むことができる。
【００２４】
当該装置は、スケジューリング情報をキャリーするシステム情報ブロック2をシステム情報2にマッピングするマッピングモジュールとをさらに備えることができる。
【００２５】
その中、前記新規のシステム情報ブロックは、少なくともMBMSの制御情報指示情報の配置情報、MCCHの繰り返し周期情報、MCCHの変更周期情報、MCCHに用いられる変調方式とエンコードレート情報のうちの1つを含むMBMSの関連情報をさらにキャリーすることに用いられることができる。
【００２６】
その中、指定されたシステム情報ブロックが新増のシステム情報であると、セル内にMBMSサービスがない場合、当該セル内に新増のシステム情報ブロックを再び送信しない。
【００２７】
その中、指定されたシステム情報ブロックが新増のシステム情報ブロックであると、新増のシステム情報ブロックとSIB2を相異または同じSI送信時間ウィンドウ内にスケジュールして送信する。
【００２８】
その中、MBMSサービスを受信する能力がない受信側またはMBMSサービスを受信する能力があるがMBMSサービスに興味を持たない受信側は、SIB2を受信するが、新増のシステム情報ブロックを受信しないことができる。
【００２９】
その中、MBMSサービスを受信する能力がありMBMSサービスに興味を持つ受信側は、SIB2を受信し、新増のシステム情報ブロックを受信する。
【００３０】
また、前記制御シグナルのスケジューリング情報は、MBMSの主制御シグナルのスケジューリング情報及び/またはMBMSの次制御シグナルまたはMCHHのスケジューリング情報であり、且つスケジューリング情報は、制御シグナルをキャリーすることを指示する資源位置の情報を含む。資源位置の情報は、MBMSの主制御シグナル及び/またはMBMSの次制御シグナルまたはMCCHをキャリーすることを指示するサブフレーム位置の情報である。
【００３１】
その中、指定されたシステム情報ブロックが新増のシステム情報ブロックであると、新増のシステム情報ブロックのスケジューリング情報は、システム情報ブロック1に含まれ、システム情報ブロック1によってスケジュールされる。
【００３２】
その中、指定されたシステム情報ブロックが新増のシステム情報ブロックであると、新増のシステム情報ブロックは、マルチキャスト・ブロードキャスト単一周波数ネットワーク-サブフレーム構造（MBSFN-Subframe Configuration）情報リスト以外のMBMSの情報をキャリーする。
【００３３】
その中、その特徴は、指定されたシステム情報ブロックが新増のシステム情報ブロックであると、MBMSサービスを受信する受信側がMBMSに基づく新増のシステム情報ブロックを受信することにある。
【発明の効果】
【００３４】
本発明の上記技術的案によれば、BCCHにおけるキャリアの特性によって適切なキャリアを選択してMBMSの主制御シグナル及び/または次制御シグナルのスケジューリング情報をキャリーして、関連する技術のキャリア選択方式上での空白を埋めて、MBMSの主及び/または次制御シグナルまたはMCCHのスケジューリング情報をキャリーするキャリアの選択に対して明確な方案がないという問題を解決して、さらにスケジューリング情報の配置と送信を実現して、受信の遅延を下げる。
【図面の簡単な説明】
【００３５】
【図１】本発明の実施例に係るスケジューリング情報伝送方法のフローチャートである。
【図２】本発明の実施例に係るスケジューリング情報伝送装置の構成を示すブロック図である。
【図３】本発明の実施例に係るスケジューリング情報伝送方法におけるSIB伝送の原理を示す図である。
【発明を実施するための形態】
【００３６】
ここで記載する添付図面は本発明を更に説明するためであり、本発明の一部を構成し、示した実施の形態とその説明は本発明を解釈するためであり、本発明に対する不当な限定ではない。
【００３７】
機能の概要
関連する技術において主及び/または次制御シグナルまたはMCCH（MBMSの制御シグナルが主、次構造に分けられない場合、MBMSの制御シグナルはMCCHチャンネルにキャリーされる）のスケジューリング情報をキャリーするキャリアの選択に対して明確な方案がないという問題を考えて、本発明は、キャリアの性質を分析して、結び付けて合理的なキャリア選択方式、及びMBMSの主制御シグナル及び/または次制御シグナルまたはMCCHのスケジューリング情報をキャリーするキャリア内にどのようにマッピングするかの方式、基地局（Node B）またはエミュレーション基地局（e Node B）が混合キャリヤーシステムにおけるMBMSの制御シグナルを端末に伝送する方法を提供し、受信側に伝送される情報を即時に受信させることができる。
【００３８】
発明の実施例
本発明の実施例に係るスケジューリング情報伝送方法は、MBMSの制御シグナルのスケジューリング情報を伝送することに用いられる。
【００３９】
図1は本発明の実施例に係るスケジューリング情報伝送方法のフローチャートである。図1に示すように、当該方法は、以下のようなステップS102〜ステップS104を含む。
【００４０】
ステップS102において、MBMSの制御シグナル（MCCHの情報）のスケジューリング情報を指定されたシステム情報ブロックにキャリーする。その中、指定されたシステム情報ブロックは、システム情報ブロック2またはシステム情報ブロック3または新増のシステム情報ブロック（例えば、SIB12またはSIBnewと命名される。本発明はSIBnewを用いて新増のシステム情報ブロックを説明する）である。しかも、ここでの制御シグナルのスケジューリング情報は、MBMSの主制御シグナルのスケジューリング情報及び/またはMBMSの次制御シグナルのスケジューリング情報またはMCCHのスケジューリング情報を含むことができる。当該スケジューリング情報は、MBMSの制御シグナルMCCHをキャリーすることを指示する資源位置の情報を含む。前記資源位置情報は、MCCHの情報をキャリーすることを指示するブフレーム位置の情報を含む。さらに、前記MCCHの情報をキャリーするサブフレーム位置の情報は、MCCHの変更周期設定またはMCCHの繰り返し周期設定により指示されるものであってもよい、即ち、MCCHの変更周期または繰り返し周期を告知して、MCCHの情報の周期位置を確定して、さらにサブフレーム位置を示す。
【００４１】
なお、MBMSの制御シグナルがMBMSの主制御シグナルとMBMSの次制御シグナルに従って分けられない場合で、MBMSの制御シグナルは、主、次構造を再び区分しなく、MBMSの制御シグナルが1つだけあるから、また、前記MBMSの制御シグナルが論理チャンネルMCCHにキャリーされるものであるため、MCCHの情報に表される。制御シグナルのスケジューリング情報は、MBMSの主制御シグナルのスケジューリング情報及び/またはMBMSの次制御シグナルのスケジューリング情報を含めなくてもよい。
【００４２】
ステップS104において、スケジューリング情報をキャリーした指定されたシステム情報ブロックを伝送する。
【００４３】
MBMSの主制御シグナル及び/または次制御シグナルまたはMCCHのスケジューリング情報をSIB2またはSIB3または新増のシステム情報ブロックにキャリーして送信する場合では、主及び/または次制御シグナルまたはMCCHのスケジューリング情報をSIB2またはSIB3または新増のシステム情報ブロックにおける独立の情報ユニット（1nformation element、IEと略称）項としてSIB2またはSIB3または新増のシステム情報ブラックにキャリーしてもよい、又は、主及び/または次制御シグナルまたはMCHHのスケジューリング情報とMBMSの資源配置情報（MBSFN-Subframe Configuration）の整体を1つのIE項としてSIB2にキャリーしてもよい（LTEプロトコルにはMBSFN-Subframe Configuration情報リストがSIB2にキャリーされて送信されると規定する）。
【００４４】
そして、SIB2またはSIB3または新増のシステム情報ブラックをシステム情報2（System 1nformation 2、SI2と略称）にマッピングして送信することができる。
【００４５】
具体的に、指定されたシステム情報ブロックが新増のシステム情報ブロックであると、新増のシステム情報ブロックは、MBSFN-Subframe Configuration情報リスト以外のMBMSの情報をキャリーする。
【００４６】
そして、新増のシステム情報ブロックのスケジューリング情報は、システム情報ブロック1に含まれ、システム情報ブロック1によってスケジュールされる。
【００４７】
同時、指定されたシステム情報ブロックが新増のシステム情報ブロックであると、MBMSサービスを受信する受信側は、MBMSサービスに基づく新増のシステム情報ブロックを受信する。
【００４８】
装置の実施例
本発明の実施例に係るスケジューリング情報伝送装置は、MBMSの主制御シグナル及び/または次制御シグナルまたはMCCHのスケジューリング情報をSIB2にキャリーして送信する処理より実現される。
図2は本発明の実施例に係るスケジューリング情報伝送装置の構成を示すブロック図である。図2に示すように、本実施例に係る伝送装置は、キャリーモジュール202、伝送モジュール204を含む。以下に上記のモジュールを説明する。
【００４９】
キャリーモジュール202は、MBMSの制御シグナルのスケジューリング情報を指定されたシステム情報ブロックにキャリーして伝送することに用いられる。その中、指定されたシステム情報ブロックは、システム情報ブロック2またはシステム情報ブロック3または新増のシステム情報ブロックである。
【００５０】
伝送モジュール204は、スケジューリング情報をキャリーしたシステム情報ブロック2を伝送することに用いられる。
【００５１】
その中、キャリーモジュール202は、スケジューリング情報を独立の情報ユニット項として指定されたシステム情報ブロックにキャリーする第1キャリーサブモジュール2022と、スケジューリング情報とMBMSの資源配置情報を1つのユニット項として指定されたシステム情報ブロックにキャリーする第2キャリーサブモジュール2024とをさらに含むことができる。
【００５２】
当該装置は、スケジューリング情報をキャリーしたシステム情報ブロック2をシステム情報2にマッピングするためのマッピングモジュール（示しない）をさらに含むことができる。
【００５３】
その中、前記新増のシステム情報ブロックは、さらにMBMSの関連情報をキャリーすることに用いられることができる。その中、関連情報は、少なくともMBMSの資源配置情報、MBMSの制御情報指示情報、MCCHの変更周期配置、MCCHの繰り返し周期配置、MCCHの情報に用いられるMCSのうちの1つを含む。
【００５４】
また、前記制御シグナルのスケジューリング情報は、MBMSの主制御シグナルのスケジューリング情報及び/またはMBMSの次制御シグナルのスケジューリング情報またはMCCHのスケジューリング情報であり、且つスケジューリング情報は、制御シグナルをキャリーすることを指示する資源位置の情報を含む。資源位置の情報は、制御シグナルをキャリーするサブフレーム情報でもよい。
【００５５】
また、当該装置は、さらにSIB3またはSIBnewにスケジューリング情報をキャリーして伝送する処理に用いられることができる。
【００５６】
MBMSの主制御シグナル及び/または次制御シグナルまたはMCCHのスケジューリング情報をSIB3にキャリーして送信する場合では、それをSIB3における独立のIE項としてSIB3にキャリーしてもよい、または、主及び/または次制御シグナルのスケジューリング情報とMBMSの資源配置情報の全体を1つのIE項としてSIB3にキャリーしてもよい。
【００５７】
MBMSの主制御シグナル及び/または次制御シグナルまたはMCCHのスケジューリング情報をSIB3にキャリーして送信する処理は、図2に示すスケジューリング情報伝送装置より実現されることができる。
【００５８】
その中、SIB2またはSIB3にMBMSの主制御シグナル及び/または次制御シグナルのスケジューリング情報をキャリーする場合では、キャリーするSIB2またはSIB3は、基地局より配置されるものである。MBMSサービスがない場合、SIB2またはSIB3に情報を再び配置しなくてもよい。
【００５９】
また、MBMSの主制御シグナル及び/または次制御シグナルまたはMCCHのスケジューリング情報が新増のシステム情報ブロック（SIBnew）にキャリーされて送信される場合では、同様にスケジューリング情報をSIBnewにおける独立のIE項としてキャリーしてもよい、または、それとMBMSの資源配置シグナルの整体を1つのIE項としてSIBnewにキャリーしてもよい。
【００６０】
SIBnewは、MBMSの主制御シグナルのスケジューリング情報及び/または次制御シグナルまたはMCCHのスケジューリング情報だけではなく、MBMSサービスに関する情報をキャリーすることができる。当該関連情報は、少なくともMCCHの繰り返し周期（repetition Period）情報、MCCHの変更周期（modification Period）情報、MBMSの資源配置情報、MBMSの制御情報指示情報の配置情報（MBMSの制御情報指示情報は、MBMSサービスの制御シグナルが更新するかどうかを指示し、制御情報が更新したと、当該情報より端末に通知して、端末が直ちに更新された制御情報を読み取ることができる）、MCCHに用いられる変調方式とエンコードレート情報のうちの1つを含む。優先的に、SIBnewは、MBMSサービスに関する情報のみをキャリーすることに用いられる。
【００６１】
その中、SIBnewにキャリーされたMBMSの主制御シグナル及び/または次制御シグナルまたはMCCHのスケジューリング情報は、基地局より配置されることができる。セルにMBMSサービスがない場合、SIBnewの全体は、再びスケジュールして送信しない。
【００６２】
キャリー済み後、SIB送信を行う時、SIBの送信原理は、以下のようなものでる。
【００６３】
図3は本発明の実施例に係るスケジューリング情報伝送方法におけるSIB伝送の原理を示す図である。図3に示すように、LTEシステムにおいて、現在、11個のSIBがある。その中、SIB1においてSIB2〜SIB11のスケジューリング情報を送信する。ここでSIB2〜SIB11がそれぞれ、異なるSI2〜SI5にスケジュールされて送信されることを含む。その送信のスタート時間は、それぞれX=0、X=Y、X=2Y、X=3Yである。1つのSＩに異なるSIBを配置することができる。各SIの送信時間ウィンドウ（S1 tx window）は、重ね合わせられない。各ウィンドウの幅は、Yであり、且つ2つの無線フレーム（SFN）の長さに等しい。
【００６４】
MBMSサービスの受信フローチャートにおいて、まずSIB1を読み取って、SIB1からSIB2がそのSIにキャリーされた情報を含む、SIB2のスケジューリング情報を得て、端末は、SIB1上のSIB2のスケジューリング情報から相応の場所にSIB2をキャリーするSIを受信して、SIB2を得て、MBMSサービスの資源配置情報を得る。端末は、資源配置情報を得た後、どれらのサブフレームがユニキャストサブフレームであり、どれかがMBMSサービスサブフレーム（MBMSサービスをキャリーするサブフレーム、MBSFNサブフレームとも称さる）であることを知る。このように、端末の節電、測定、MBMSサービスに対する受信選択または回避にとって有利である。
【００６５】
以下、上記3種類の異なったキャリー方案の性能を分析する。
【００６６】
提案一：SIB3にキャリーされると、SIB3に隣接のセルに関する情報を主にキャリーし、しかもMBMSの主制御シグナル及び/または次制御シグナルまたはMCCHのスケジューリング情報が隣接のセルの情報に属しないため、キャリーされる情報のタイプは異なる。また、SIB2とSIB3は、同一のSIにスケジュールされる可能性があるが、同一のSIに送信されない可能性が多い（SIB1でのスケジューリング情報によって決定される）。SIB2とSIB3が同一のSIに送信されないと、MBMSを間もなく受信する端末は、SIB2をキャリーしたSIを受信した後、MBMSの資源配置情報を知る。端末は、160ms待たなければ他のSIにSIB3を受信し、MBMSの主制御シグナル及び/または次制御シグナルまたはMCCHのスケジューリング情報を得ることができない。
【００６７】
提案二：スケジューリング情報を新増のシステム情報ブロックSIBnewにキャリーする場合では、MBMSの資源配置情報がSIB2にキャリーされ、MBMSの主制御シグナル及び/または次制御シグナルまたはMCCHのスケジューリング情報がSIBnewにキャリーされると、システムがスケジュールする時、SIB1よりSIB2とSIBnewを異なるSI（ここでSIBnewは、SIB1よりスケジュールされて送信される。SIBnewのスケジューリング情報はSIB1以外の他のSIB（例えばSIB2）のスケジューリング情報のようにSIB1に含まれる）にスケジュールすることができる。このように、MBMSサービスを受信しない端末にとっては、SIB2を含むSIのみを受信し、SIBnewを含むSIを受信しなくて、SIBnew上の情報の受信を避けることができる。このようにユニキャスト端末（本発明ではMBMSサービスを受信する能力がない受信側またはMBMSサービスを受信する能力があるがMBMSサービスに興味を持たない受信側である）が興味を持たないSIBnew上の情報（ユニキャスト端末がMBMSサービスを受信しないため、MBMSサービスの制御シグナルを受信する必要がない。このシグナルは、MBMSサービスを受信する受信端末によって受信されることだけで有効になる）を受信することを減らして、節電の目的を達成することができる。一方、MBMSを受信する端末にとっては、SIB2とSIBnewが異なるSIにスケジュールされると、このように端末は、2つのSIを受信した後、後続の受信を行うことしかできない。しかし、当該提案によれば、ユニキャスト端末は、SIB2を受信し、SIBnewを受信しない場合で、このようにSIB2上のMBSFN-Subframe Configuration（当該情報は、MBSFNサブフレームを配置するためである）情報を得た後、MBMSサービスを伝送するものがあれらのサブフレームであることを得ることができる。ユニキャスト端末がMBMSサービスを受信しないため、これらのMBSFNサブフレームのデータ領域を跳び越えて、ユニキャスト端末の節電を実現することができる。MBMSサービスを受信する受信端末は、SIB2だけではなく、SIBnewを受信して、MBMSサービスの受信に必要な制御シグナルを知ることが必要である。
【００６８】
さらにセル内にMBMSサービスがない場合、SIBnewがMBMSに関する情報のみをキャリーするため、SIBnewを再び送信なくても、ユニキャスト端末に影響しなくて、システムが資源を節約することを進めることができる。
【００６９】
提案三：主制御シグナル及び/または次制御シグナルまたはMCCHのスケジューリング情報がSIB2にキャリーされた場合、MBMSサービスを受信する端末は、SIB2上のMBMSの資源配置情報を受信するとともに、MBMSの主制御シグナル及び/または次制御シグナルまたはMCCHのスケジューリング情報を受信することができる。このように端末がMBMSサービスを即時に受信することに便利である。
【００７０】
上記の処理により、MBMSの主制御シグナル及び/または次制御シグナルまたはMCCHのスケジューリング情報とMBMSの資源配置情報を1つのキャリアにキャリーして伝送する目的を実現し、スケジューリング情報をSIB2にキャリーして伝送する提案の受信遅延を最少にさせ、SIB3とSIBnewに伝送することを選択する提案は、SIB2に伝送する提案と比べて、一定の遅延を発生する。
【００７１】
以下、上記3種類のキャリーモードを例にして、それぞれ、本発明の実施例に係るスケジューリング情報の受信処理を説明する。
【００７２】
仮定すると、LTEシステムにおいて、MBMSサービスの資源配置情報がSIB2に放置され、1つのIE項として伝送され、しかもSIB2がSI2にキャリーされて送信される周期が160msであると確定する。システムは、SIB1よりSI上に送信されたSIBとSI自身の送信周期をスケジュールする。また、SI2の時間ウィンドウ内で、端末は、物理下りリンク制御チャンネル（Physical Downlink Control Channel、PDCCHと略称）PDCCHにおけるSI-RNTIが対応する制御シグナルをモニターすることで詳しい具体的な資源（時間と周波数）を得る。SI-RNTIは、MIB以外のシステム放送であり、即ち、SIB1の識別子も全てのSI情報の識別子である。
【００７３】
以下、上記の仮定に基づいて、それぞれ、異なるキャリー方案を採用して伝送した後の受信処理過程を説明する。
【００７４】
実施例1
現在、MBMSの主制御シグナル及び/または次制御シグナルまたはMCHHのスケジューリング情報のシグナルがあると仮定すると、所定のコードフォーマットに従うことだけでそれに対してエンコードした後、1つの単独のIE項またはMBMSの資源配置情報のシグナルと1つのIE項としてSIB2にキャリーされる。SIB1は、SIB2を適当なSI（ここでSI2にスケジュールするとする）にスケジュールして伝送することを負う。
【００７５】
端末は、システム情報SIB1を受信した後、SIB2がSI2にスケジュールされて伝送されたこと及びSI2の送信周期、時間ウィンドウの長さを知ることができる。SI2の送信周期が到来した後、端末は、システム情報-無線ネットワークトランザクション識別子（System 1nformation RNTI、SI-RNTIと略称）をモニターしたまで、SI2の時間ウィンドウ内の全てのPDCCH上の無線ネットワークトランザクション識別子（radio network temporary identifier、RNTIと略称）をモニターして、対応の制御シグナルを得ることが必要であって、SI2に送信されたデータの時間ウィンドウでの具体的な位置を知って、SI2に送信されたデータを得えることができ、デコードした後にSIB2を得て、さらにMBMSの資源配置情報とMBMSの主制御シグナル及び/または次制御シグナルまたはMCCHのスケジューリング情報を得ることができる。その後、前記スケジューリング情報から相応の資源位置にMBMSの主制御シグナル及び/または次制御シグナルまたはMCCHの情報を受信する。
【００７６】
実施例2
現在、MBMSの主制御シグナル及び/または次制御シグナルまたはMCCHのスケジューリング情報のシグナルがあると仮定すると、所定のコードフォーマットに従うことだけでそれに対してエンコードした後、1つの単独のIE項として、SIB3にキャリーされる。SIB1は、SIB3を適当なSI（ここでSI2にスケジュールするとする）にスケジュールして伝送することを負う。この場合、SIB1は、SIB2とSIB3をスケジュールする時、できるだけSIB2とSIB3を同一のSIにスケジュールするべきである。これは、SIB2にMBMSの資源配置情報をキャリーし、SIB3にMBMSの主制御シグナル及び/または次制御シグナルまたはMCCHのスケジューリング情報のシグナルをキャリーし、同一のSIに送信することがMBMSサービスを受信する端末が一回受信することに役立って、受信の遅延を防ぐからである。
【００７７】
端末は、システム情報SIB1を受信した後、SIB3がSI2にスケジュールされて伝送されること及びSI2の送信周期、時間ウィンドウの長さを知ることができる。SI2の送信周期が到来した後、端末は、SI-RNTIをモニターしたまで、SI2の時間ウィンドウ内の全てのPDCCH上のRNTIをモニターして、対応の制御シグナルを得ることが必要であって、SI2上に送信されたデータの時間ウィンドウでの具体的な位置を知って、SI2に送信されたデータを得ることができ、デコードした後にSIB3を得て、さらにMBMSの資源配置情報とMBMSの主制御シグナル及び/または次制御シグナルまたはMCCHのスケジューリング情報を得ることができる。その後、スケジューリング情報から相応の資源位置にMBMSの主制御シグナル及び/または次制御シグナルまたはMCCHの情報を受信する。
【００７８】
実施例3
現在、MBMSの主制御シグナル及び/または次制御シグナルまたはMCCHのスケジューリング情報のシグナルがあると仮定すると、所定のコードフォーマットに従うことでそれに対してエンコードした後、1つの単独のIE項として、SIBnewにキャリーされる。SIB1は、SIBnewを適当なSI（ここでSI2にスケジュールすると仮定する）にスケジュールして伝送することを負う。ここでSIBnewのスケジューリング情報は、他のSIB（SIB1の他、例えばSIB2）のスケジューリング情報のようにSIB1に含まれる。ここでSIB1は、SIB2とSIBnewをスケジュールする時、SIB2とSIB3を同一のSIにスケジュールすることができ、SIB2にMBMSの資源配置情報をキャリーし、SIBnewにMBMSの主制御シグナル及び/または次制御シグナルまたはMCCHのスケジューリング情報をキャリーし、同一のSIに送信することがMBMSサービスを受信する端末の一回受信、受信の遅延を避ることに役立つからである。しかし、SIB2とSIBnewが同一のSIにスケジュールされると、ユニキャスト受信端末の節電に役立たない。これは、ユニキャスト端末がSIBnewを受信することを望まない且つSIBnewがユニキャストに有効ではないからである。そのため、SIB2とSIBnewは、それぞれ異なるSIにスケジュールされることができる。このようにユニキャスト端末の節電に役立つが、MBMSサービス受信側がMBMSサービスを即時に受信することに役立たない。上述したように、MBMSサービス受信側が一定の遅延を許容することができれば、SIB2とSIBnewを異なるSIにそれぞれスケジュールすることが好適である。
【００７９】
端末は、システム情報SIB1を受信した後、SIBnewがSI2にスケジュールされて伝送されること及びSI2の送信周期、時間ウィンドウの長さを知ることができる。SI2の送信周期が到来した後、端末は、SI-RNTIをモニターしたまで、SI2の時間ウィンドウ内の全てのPDCCH上のRNTIをモニターして、対応の制御シグナルを得ることが必要であって、SI2上に送信されたデータの時間ウィンドウでの具体的な位置を知って、SI2に送信されたデータを得ることができ、デコードした後にSIBnewを得て、さらにMBMSの資源配置情報とMBMSの主制御シグナル及び/または次制御シグナルまたはMCCHのスケジューリング情報を得ることができる。その後、前記スケジューリング情報から相応の資源位置にMBMSの主制御シグナル及び/または次制御シグナルまたはMCCHの情報を受信する。
【００８０】
上述したように、本発明の技術的案によれば、BCCHにおけるキャリアの特徴によって適切なキャリアを選択してMBMSの主制御シグナル及び/または次制御シグナルまたはMCCHのスケジューリング情報をキャリーして、関連する技術のキャリア選択方式上の空白を埋めて、スケジューリング情報の配置と送信を実現し、受信の遅延を下げて、データ伝送時の資源浪費を減少して、データの伝送モードをMBMSサービスの受信フローチャートに更に適応させる。
【００８１】
上述は本発明の実施形態しかなく、本発明に限定されるものではなく、当業者にとっては、様々な変更と変化が得られる。特許請求の範囲の中で述べられている、本発明の精神及び範囲内で、任意の変更、等価な代替および改良等が、当業者には明らかとなろう。
【図１】
2012507179.tif 000003
【図２】
2012507179.tif 000004
【図３】
2012507179.tif 000005
【国際調査報告】
2012507179.tif 000006
2012507179.tif 000007
2012507179.tif 000008
2012507179.tif 000009